(57)【要約】【課題】従来、表示品位を向上させることが困難である。【解決手段】電気光学装置は、第１偏光を射出する複数の画素と、遮光膜１０５と、遮光膜１０５に形成された開口部１０９と、第１偏光を第２偏光に変化させる第２位相差層１０３ｂと、第１偏光を第２偏光に変化させ且つ第２偏光を第１偏光に変化させる屈折状態と、第１偏光及び第２偏光を維持させる維持状態とが切り替えられる屈折可変装置と、第１偏光及び第２偏光のうちの一方を透過させる偏光素子と、を有し、複数の画素は、Ｘ方向に連続して並ぶｊ（ｊは２以上の整数）個の画素を１組の画素群として、Ｘ方向とは交差する第２方向に連続して並ぶｊ組の画素群を構成し、開口部１０９は、各画素群に対応する第１開口部１０９ａと、ｊ組の画素群ごとに設けられた第２開口部１０９ｂとを含み、第２位相差層１０３ｂは、第２開口部１０９ｂに重なる領域に設けられている。【選択図】図１３
2010039028.tif 000002
【特許請求の範囲】
【請求項１】
画像が表示される表示面と、
第１偏光軸を有する第１偏光を前記表示面に向けて射出する複数の画素と、
前記複数の画素及び前記表示面の間に設けられた遮光膜と、
前記遮光膜に形成された開口部と、
前記複数の画素及び前記表示面の間に設けられており、前記第１偏光を、前記第１偏光軸とは交差する第２偏光軸を有する第２偏光に変化させる位相差層と、
前記遮光膜及び前記位相差層よりも前記表示面側に設けられており、前記第１偏光を前記第２偏光に変化させ且つ前記第２偏光を前記第１偏光に変化させる屈折状態と、前記第１偏光及び前記第２偏光を維持させる維持状態とが切り替えられる屈折可変装置と、
前記屈折可変装置よりも前記表示面側に設けられており、前記第１偏光及び前記第２偏光のうちの一方を透過させる偏光素子と、を有しており、
前記複数の画素は、第１方向に連続して並ぶｊ（ｊは２以上の整数）個の画素を１組の画素群として、前記第１方向とは交差する第２方向に連続して並ぶｊ組の前記画素群を構成しており、
前記開口部は、少なくとも、各前記画素群に対応して設けられ、各前記画素群の一部に重なる第１領域と、前記ｊ組の画素群ごとに設けられ、前記ｊ組の画素群のうちの一部の前記画素群に重なる第２領域とを含んでおり、
前記位相差層は、前記第１領域及び前記第２領域のうちの一方に重なる領域に設けられていることを特徴とする電気光学装置。
【請求項２】
前記複数の画素及び前記屈折可変装置の間に、前記第１偏光を維持させる他の位相差層を有しており、
前記他の位相差層は、前記第１領域及び前記第２領域のうちの他方に重なる領域に設けられていることを特徴とする請求項１に記載の電気光学装置。
【請求項３】
前記他の位相差層は、前記第２偏光軸に沿って延びる遅相軸を有することを特徴とする請求項２に記載の電気光学装置。
【請求項４】
前記他の位相差層は、前記第２偏光軸に直交する方向に延びる遅相軸を有することを特徴とする請求項２に記載の電気光学装置。
【請求項５】
前記屈折可変装置は、
電界を形成する一対の電極と、
前記電界によって駆動される液晶と、を有していることを特徴とする請求項１乃至４のいずれか一項に記載の電気光学装置。
【請求項６】
請求項１乃至５のいずれか一項に記載の電気光学装置で表示を行う表示方法であって、
前記屈折可変装置の前記屈折状態と前記維持状態とを交互に切り替えることを特徴とする表示方法。
【請求項７】
前記屈折状態と前記維持状態とを、１フレーム期間よりも短い期間ごとに切り替えることを特徴とする請求項６に記載の表示方法。
【請求項８】
請求項１乃至５のいずれか一項に記載の電気光学装置で表示を行う表示方法であって、
前記屈折可変装置の屈折状態において、前記屈折可変装置の遅相軸を、前記第１偏光軸と前記第２偏光軸とによって挟まれる角の中央に沿う方向を除いて、前記第１偏光軸及び前記第２偏光軸の双方に交差する方向に設定することを特徴とする表示方法。
【請求項９】
請求項１乃至５のいずれか一項に記載の電気光学装置を表示部として有することを特徴とする電子機器。
【発明の詳細な説明】
【技術分野】
【０００１】
本発明は、電気光学装置、表示方法及び電子機器に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。このような表示装置としては、縦向きの配置及び横向きの配置のいずれの配置の場合でも、それぞれの向きに対応した指向性表示を行うことができるものがある（例えば、特許文献１参照）。
【０００３】
【特許文献１】特開２００６−３３７４９６号公報
【発明の開示】
【発明が解決しようとする課題】
【０００４】
上記特許文献１に記載された表示装置では、縦向きの配置及び横向きの配置のいずれの配置の場合でも、右目方向に向けて右目用画像を表示させ、左目方向に向けて左目用画像を表示させることができる。
しかしながら、特許文献１に記載された表示装置では、横向きの配置のときに、右目用画像の一部が左目方向に向かって進行し、左目用画像の一部が右目方向に向かって進行する。このため、特許文献１に記載された表示装置では、右目に右目用画像と左目画像の一部とが入射し、左目に左目用画像と右目用画像の一部とが入射することになる。
【０００５】
つまり、従来の電気光学装置では、表示品位を向上させることが困難であるという課題がある。
【課題を解決するための手段】
【０００６】
本発明は、上述の課題の少なくとも一部を解決するためになされたものであり、以下の形態又は適用例として実現され得る。
【０００７】
［適用例１］画像が表示される表示面と、第１偏光軸を有する第１偏光を前記表示面に向けて射出する複数の画素と、前記複数の画素及び前記表示面の間に設けられた遮光膜と、前記遮光膜に形成された開口部と、前記複数の画素及び前記表示面の間に設けられており、前記第１偏光を、前記第１偏光軸とは交差する第２偏光軸を有する第２偏光に変化させる位相差層と、前記遮光膜及び前記位相差層よりも前記表示面側に設けられており、前記第１偏光を前記第２偏光に変化させ且つ前記第２偏光を前記第１偏光に変化させる屈折状態と、前記第１偏光及び前記第２偏光を維持させる維持状態とが切り替えられる屈折可変装置と、前記屈折可変装置よりも前記表示面側に設けられており、前記第１偏光及び前記第２偏光のうちの一方を透過させる偏光素子と、を有しており、前記複数の画素は、第１方向に連続して並ぶｊ（ｊは２以上の整数）個の画素を１組の画素群として、前記第１方向とは交差する第２方向に連続して並ぶｊ組の前記画素群を構成しており、前記開口部は、少なくとも、各前記画素群に対応して設けられ、各前記画素群の一部に重なる第１領域と、前記ｊ組の画素群ごとに設けられ、前記ｊ組の画素群のうちの一部の前記画素群に重なる第２領域とを含んでおり、前記位相差層は、前記第１領域及び前記第２領域のうちの一方に重なる領域に設けられていることを特徴とする電気光学装置。
【０００８】
この適用例の電気光学装置は、表示面と、複数の画素と、遮光膜と、開口部と、位相差層と、屈折可変装置と、偏光素子と、を有している。表示面には、画像が表示される。複数の画素は、第１偏光軸を有する第１偏光を表示面に向けて射出する。複数の画素は、第１方向に連続して並ぶｊ個の画素を１組の画素群として、第１方向とは交差する第２方向に連続して並ぶｊ組の画素群を構成している。
遮光膜は、複数の画素及び表示面の間に設けられている。
開口部は、遮光膜に形成されている。開口部は、少なくとも第１領域と第２領域とを含んでいる。第１領域は、各画素群に対応して設けられており、各画素群の一部に重なる領域である。第２領域は、ｊ組の画素群ごとに設けられており、ｊ組の画素群のうちの一部の画素群に重なる領域である。
【０００９】
位相差層は、複数の画素及び表示面の間に設けられている。位相差層は、第１偏光を、第１偏光軸とは交差する第２偏光軸を有する第２偏光に変化させる。位相差層は、第１領域及び第２領域のうちの一方に重なる領域に設けられている。
屈折可変装置は、遮光膜及び位相差層よりも表示面側に設けられており、屈折状態と、維持状態とが切り替えられる。屈折可変装置は、屈折状態において、第１偏光を第２偏光に変化させ、且つ第２偏光を第１偏光に変化させる。また、屈折可変装置は、維持状態では、第１偏光及び第２偏光を維持させる。
偏光素子は、屈折可変装置よりも表示面側に設けられている。偏光素子は、第１偏光及び第２偏光のうちの一方を透過させる。
この電気光学装置では、複数の画素から射出された第１偏光のうちで位相差層に入射されるものは、第２偏光として屈折可変装置に入射される。また、複数の画素から射出された第１偏光のうちで位相差層から外れて開口部を通過するものは、第１偏光として屈折可変装置に入射される。
【００１０】
例えば、偏光素子が第１偏光及び第２偏光のうちで第１偏光を透過させる場合、屈折可変装置を屈折状態にすることにより、位相差層から射出された第２偏光が第１偏光に変化してから偏光素子に入射される。これにより、位相差層を介して射出された光が偏光素子を経て表示面から射出される。
また、例えば、偏光素子が第１偏光及び第２偏光のうちで第２偏光を透過させる場合、屈折可変装置を維持状態にすることにより、位相差層から射出された第２偏光が偏光素子に入射される。これにより、位相差層を介して射出された光が偏光素子を経て表示面から射出される。
【００１１】
ここで、位相差層は、第１領域及び第２領域のうちの一方に重なっている。
例えば、位相差層が第１領域に重なっている場合、画素群を構成するｊ個の画素のそれぞれから射出された光は、第１方向において、相互に異なる範囲に及ぶ。この結果、この電気光学装置では、第１方向において、少なくともｊ個の方向に指向性表示を行うことができる。
また、例えば、位相差層が第２領域に重なっている場合、ｊ組の画素群のそれぞれから射出された光は、第２方向において、相互に異なる範囲に及ぶ。この結果、この電気光学装置では、第２方向において、少なくともｊ個の方向に指向性表示を行うことができる。
【００１２】
他方で、偏光素子が第１偏光及び第２偏光のうちで第１偏光を透過させる場合に、屈折可変装置を維持状態にすることにより、位相差層を外れて開口部から射出された第１偏光が偏光素子に入射される。これにより、位相差層を外れて開口部から射出された光が偏光素子を経て表示面から射出される。
また、偏光素子が第１偏光及び第２偏光のうちで第２偏光を透過させる場合に、屈折可変装置を屈折状態にすることにより、位相差層を外れて開口部から射出された第１偏光が第２偏光に変化してから偏光素子に入射される。これにより、位相差層を外れて開口部から射出された光が偏光素子を経て表示面から射出される。
【００１３】
これらの場合において、例えば、位相差層が第１領域に重なっている場合、ｊ組の画素群のそれぞれから第２領域を経て射出された光は、第２方向において、相互に異なる範囲に及ぶ。この結果、この電気光学装置では、第２方向において、少なくともｊ個の方向に指向性表示を行うことができる。
また、例えば、位相差層が第２領域に重なっている場合、画素群を構成するｊ個の画素のそれぞれから第１領域を経て射出された光は、第１方向において、相互に異なる範囲に及ぶ。この結果、この電気光学装置では、第１方向において、少なくともｊ個の方向に指向性表示を行うことができる。
上記の構成により、この電気光学装置では、第１方向及び第２方向のそれぞれの方向において、指向性表示を行うことができる。
【００１４】
また、この電気光学装置では、第１偏光及び第２偏光のうちの一方だけを透過させる偏光素子が採用され得る。これにより、第１方向における指向性表示、及び第２方向における指向性表示のいずれにおいても、第１偏光及び第２偏光のうちの一方だけで画像を表示することができる。この結果、指向性表示における表示品位を向上させやすくすることができる。
【００１５】
［適用例２］上記の電気光学装置であって、前記複数の画素及び前記屈折可変装置の間に、前記第１偏光を維持させる他の位相差層を有しており、前記他の位相差層は、前記第１領域及び前記第２領域のうちの他方に重なる領域に設けられていることを特徴とする電気光学装置。
【００１６】
この適用例の電気光学装置は、他の位相差層を有している。他の位相差層は、複数の画素及び屈折可変装置の間に設けられており、第１偏光を維持させる。他の位相差層は、第１領域及び第２領域のうちの他方に重なる領域に設けられている。この構成によれば、他の位相差層に入射される第１偏光を維持させることができる。
【００１７】
［適用例３］上記の電気光学装置であって、前記他の位相差層は、前記第２偏光軸に沿って延びる遅相軸を有することを特徴とする電気光学装置。
【００１８】
この適用例では、他の位相差層が、第２偏光軸に沿って延びる遅相軸を有しているので、他の位相差層に入射される第１偏光を維持させることができる。
【００１９】
［適用例４］上記の電気光学装置であって、前記他の位相差層は、前記第２偏光軸に直交する方向に延びる遅相軸を有することを特徴とする電気光学装置。
【００２０】
この適用例では、他の位相差層が、第２偏光軸に直交する方向に延びる遅相軸を有しているので、他の位相差層に入射される第１偏光を維持させることができる。
【００２１】
［適用例５］上記の電気光学装置であって、前記屈折可変装置は、電界を形成する一対の電極と、前記電界によって駆動される液晶と、を有していることを特徴とする電気光学装置。
【００２２】
この適用例では、屈折可変装置が、一対の電極と、液晶と、を有している。一対の電極は、電界を形成する。液晶は、電界によって駆動される。この構成によれば、電界の形成と解除とを制御することにより、屈折状態及び維持状態を切り替えることができる。
【００２３】
［適用例６］上記の電気光学装置で表示を行う表示方法であって、前記屈折可変装置の前記屈折状態と前記維持状態とを交互に切り替えることを特徴とする表示方法。
【００２４】
この適用例の表示方法では、屈折可変装置の屈折状態と維持状態とを交互に切り替えるので、第１領域及び第２領域のそれぞれから交互に光が射出される。
ここで、この電気光学装置では、第１領域を経て光が射出されるとき、ｊ組の画素群を構成するｊ×ｊ個の画素のうちで第２領域に重なる部位は視認されにくい。他方で、第２領域を経て光が射出されるとき、ｊ×ｊ個の画素のうちで第１領域に重なる部位は視認されにくい。つまり、この電気光学装置では、画像を明るく表示することが困難である。
この適用例の表示方法では、第１領域及び第２領域のそれぞれから交互に光が射出されるので、上記の視認されにくい部位も交互に明るく視認することができる。この結果、画像を明るく表示しやすくすることができる。
【００２５】
［適用例７］上記の表示方法であって、前記屈折状態と前記維持状態とを、１フレーム期間よりも短い期間ごとに切り替えることを特徴とする表示方法。
【００２６】
この適用例では、屈折状態と維持状態とを、１フレーム期間よりも短い期間ごとに切り替えるので、第１領域及び第２領域のそれぞれから交互に光が射出することを目立ちにくくすることができる。
【００２７】
［適用例８］上記の電気光学装置で表示を行う表示方法であって、前記屈折可変装置の屈折状態において、前記屈折可変装置の遅相軸を、前記第１偏光軸と前記第２偏光軸とによって挟まれる角の中央に沿う方向を除いて、前記第１偏光軸及び前記第２偏光軸の双方に交差する方向に設定することを特徴とする表示方法。
【００２８】
この適用例の表示方法では、屈折状態において、屈折可変装置の遅相軸を、第１偏光軸と第２偏光軸とによって挟まれる角の中央に沿う方向を除いて、第１偏光軸及び第２偏光軸の双方に交差する方向に設定する。
ここで、この電気光学装置では、第１領域を経て光が射出されるとき、ｊ組の画素群を構成するｊ×ｊ個の画素のうちで第２領域に重なる部位は視認されにくい。他方で、第２領域を経て光が射出されるとき、ｊ×ｊ個の画素のうちで第１領域に重なる部位は視認されにくい。つまり、この電気光学装置では、画像を明るく表示することが困難である。
この適用例の表示方法によれば、第１領域及び第２領域のそれぞれからの光の少なくとも一部ずつを、表示面から射出させることができる。この結果、画像を明るく表示しやすくすることができる。
【００２９】
［適用例９］上記の電気光学装置を表示部として有することを特徴とする電子機器。
【００３０】
この適用例の電子機器は、表示部としての電気光学装置が、表示面と、複数の画素と、遮光膜と、開口部と、位相差層と、屈折可変装置と、偏光素子と、を有している。表示面には、画像が表示される。複数の画素は、第１偏光軸を有する第１偏光を表示面に向けて射出する。複数の画素は、第１方向に連続して並ぶｊ個の画素を１組の画素群として、第１方向とは交差する第２方向に連続して並ぶｊ組の画素群を構成している。
遮光膜は、複数の画素及び表示面の間に設けられている。
開口部は、遮光膜に形成されている。開口部は、少なくとも第１領域と第２領域とを含んでいる。第１領域は、各画素群に対応して設けられており、各画素群の一部に重なる領域である。第２領域は、ｊ組の画素群ごとに設けられており、ｊ組の画素群のうちの一部の画素群に重なる領域である。
【００３１】
位相差層は、複数の画素及び表示面の間に設けられている。位相差層は、第１偏光を、第１偏光軸とは交差する第２偏光軸を有する第２偏光に変化させる。位相差層は、第１領域及び第２領域のうちの一方に重なる領域に設けられている。
屈折可変装置は、遮光膜及び位相差層よりも表示面側に設けられており、屈折状態と、維持状態とが切り替えられる。屈折可変装置は、屈折状態において、第１偏光を第２偏光に変化させ、且つ第２偏光を第１偏光に変化させる。また、屈折可変装置は、維持状態では、第１偏光及び第２偏光を維持させる。
偏光素子は、屈折可変装置よりも表示面側に設けられている。偏光素子は、第１偏光及び第２偏光のうちの一方を透過させる。
この電気光学装置では、複数の画素から射出された第１偏光のうちで位相差層に入射されるものは、第２偏光として屈折可変装置に入射される。また、複数の画素から射出された第１偏光のうちで位相差層から外れて開口部を通過するものは、第１偏光として屈折可変装置に入射される。
【００３２】
例えば、偏光素子が第１偏光及び第２偏光のうちで第１偏光を透過させる場合、屈折可変装置を屈折状態にすることにより、位相差層から射出された第２偏光が第１偏光に変化してから偏光素子に入射される。これにより、位相差層を介して射出された光が偏光素子を経て表示面から射出される。
また、例えば、偏光素子が第１偏光及び第２偏光のうちで第２偏光を透過させる場合、屈折可変装置を維持状態にすることにより、位相差層から射出された第２偏光が偏光素子に入射される。これにより、位相差層を介して射出された光が偏光素子を経て表示面から射出される。
【００３３】
ここで、位相差層は、第１領域及び第２領域のうちの一方に重なっている。
例えば、位相差層が第１領域に重なっている場合、画素群を構成するｊ個の画素のそれぞれから射出された光は、第１方向において、相互に異なる範囲に及ぶ。この結果、この電気光学装置では、第１方向において、少なくともｊ個の方向に指向性表示を行うことができる。
また、例えば、位相差層が第２領域に重なっている場合、ｊ組の画素群のそれぞれから射出された光は、第２方向において、相互に異なる範囲に及ぶ。この結果、この電気光学装置では、第２方向において、少なくともｊ個の方向に指向性表示を行うことができる。
【００３４】
他方で、偏光素子が第１偏光及び第２偏光のうちで第１偏光を透過させる場合に、屈折可変装置を維持状態にすることにより、位相差層を外れて開口部から射出された第１偏光が偏光素子に入射される。これにより、位相差層を外れて開口部から射出された光が偏光素子を経て表示面から射出される。
また、偏光素子が第１偏光及び第２偏光のうちで第２偏光を透過させる場合に、屈折可変装置を屈折状態にすることにより、位相差層を外れて開口部から射出された第１偏光が第２偏光に変化してから偏光素子に入射される。これにより、位相差層を外れて開口部から射出された光が偏光素子を経て表示面から射出される。
【００３５】
これらの場合において、例えば、位相差層が第１領域に重なっている場合、ｊ組の画素群のそれぞれから第２領域を経て射出された光は、第２方向において、相互に異なる範囲に及ぶ。この結果、この電気光学装置では、第２方向において、少なくともｊ個の方向に指向性表示を行うことができる。
また、例えば、位相差層が第２領域に重なっている場合、画素群を構成するｊ個の画素のそれぞれから第１領域を経て射出された光は、第１方向において、相互に異なる範囲に及ぶ。この結果、この電気光学装置では、第１方向において、少なくともｊ個の方向に指向性表示を行うことができる。
上記の構成により、この電気光学装置では、第１方向及び第２方向のそれぞれの方向において、指向性表示を行うことができる。
【００３６】
また、この電気光学装置では、第１偏光及び第２偏光のうちの一方だけを透過させる偏光素子が採用され得る。これにより、第１方向における指向性表示、及び第２方向における指向性表示のいずれにおいても、第１偏光及び第２偏光のうちの一方だけで画像を表示することができる。この結果、指向性表示における表示品位を向上させやすくすることができる。
この適用例の電子機器は、この電気光学装置を表示部として有しているので、指向性表示における表示品位を向上させやすくすることができる。
【発明を実施するための最良の形態】
【００３７】
実施形態について、電気光学装置の１つである液晶装置を利用した表示装置を例に、図面を参照しながら説明する。
実施形態における表示装置１は、図１に示すように、表示パネル３と、照明装置５と、制御部６とを有している。
【００３８】
ここで、表示パネル３には、複数の画素７が設定されている。複数の画素７は、表示領域８内で、図中のＸ方向及びＹ方向に配列しており、Ｘ方向を行方向とし、Ｙ方向を列方向とするマトリクスＭを構成している。表示装置１は、照明装置５から表示パネル３に入射された光を、表示パネル３に設定されている複数の画素７から選択的に表示面９を介して表示パネル３の外に射出することで、表示面９に画像を表示することができる。なお、表示領域８とは、画像が表示され得る領域である。図１では、構成をわかりやすく示すため、画素７が誇張され、且つ画素７の個数が減じられている。
【００３９】
表示パネル３は、図１中のＡ−Ａ線における断面図である図２に示すように、液晶パネル１１と、バリア基板１３と、スイッチングパネル１７と、偏光板１９ａと、偏光板１９ｂと、偏光板１９ｃと、を有している。
液晶パネル１１は、駆動素子基板２１と、対向基板２３と、液晶２５と、シール材２７と、を有している。
駆動素子基板２１には、表示面９側すなわち液晶２５側に、複数の画素７のそれぞれに対応して、後述するスイッチング素子などが設けられている。
【００４０】
対向基板２３は、駆動素子基板２１よりも表示面９側で駆動素子基板２１に対向し、且つ駆動素子基板２１との間に隙間を有した状態で設けられている。対向基板２３には、表示装置１における表示面９の裏面に相当する面である底面２９側すなわち液晶２５側に、後述する対向電極などが設けられている。
【００４１】
液晶２５は、駆動素子基板２１及び対向基板２３の間に介在しており、表示パネル３の周縁よりも内側で表示領域８を囲むシール材２７によって、駆動素子基板２１及び対向基板２３の間に封止されている。なお、本実施形態では、液晶２５として、ＴＮ（Twisted Nematic）型が採用されている。
【００４２】
バリア基板１３は、対向基板２３よりも表示面９側で対向基板２３に対向した状態で設けられている。バリア基板１３には、底面２９側すなわち液晶パネル１１側に、バリア層３１が設けられている。
スイッチングパネル１７は、駆動電極基板３３と、対向基板３５と、液晶３７と、シール材３９と、を有している。
駆動電極基板３３には、表示面９側すなわち液晶３７側に、後述する駆動電極などが設けられている。
【００４３】
対向基板３５は、駆動電極基板３３よりも表示面９側で駆動電極基板３３に対向し、且つ駆動電極基板３３との間に隙間を有した状態で設けられている。対向基板３５には、底面２９側すなわち液晶３７側に、後述する共通電極などが設けられている。
液晶３７は、駆動電極基板３３及び対向基板３５の間に介在しており、表示パネル３の周縁よりも内側で表示領域８を囲むシール材３９によって、駆動電極基板３３及び対向基板３５の間に封止されている。なお、本実施形態では、液晶３７として、ＴＮ型が採用されている。
【００４４】
偏光板１９ａは、液晶パネル１１よりも底面２９側に設けられている。偏光板１９ｂは、液晶パネル１１及びバリア基板１３の間に設けられている。偏光板１９ｃは、スイッチングパネル１７よりも表示面９側に設けられている。
偏光板１９ａ，１９ｂ及び１９ｃは、それぞれ、透過軸を有している。これらの偏光板１９ａ，１９ｂ及び１９ｃは、それぞれ、透過軸の方向に偏光軸を有する光を透過させることができる。
【００４５】
なお、偏光板１９ｂと駆動素子基板２１との間や、バリア基板１３と偏光板１９ｃとの間に、光学補償フィルムを設けた構成も採用され得る。光学補償フィルムを設けることで、表示パネル３を表示面９の法線方向から見たときや、法線方向から傾斜した方向から見たときなどの液晶２５や液晶３７の位相差を補償することができる。これにより、光漏れを低減することができ、コントラストの向上が図られる。
【００４６】
光学補償フィルムとしては、屈折率異方性が負のディスコティック液晶分子等をハイブリッド配向させた負の一軸性媒体（例えば、富士フィルム製のＷＶフィルム）などが採用され得る。また、屈折率異方性が正のネマチック液晶分子等をハイブリッド配向させた正の一軸性媒体（例えば、日本石油製のＮＨフィルム）なども採用され得る。さらに、負の一軸性媒体と正の一軸性媒体とを組み合わせた構成も採用され得る。その他、各方向の屈折率がｎｘ＞ｎｙ＞ｎｚとなる二軸性媒体や、負のＣ−Ｐｌａｔｅ等も採用され得る。
【００４７】
照明装置５は、表示パネル３よりも底面２９側に設けられており、導光板４１と、光源４３と、を有している。
導光板４１は、偏光板１９ａよりも底面２９側に設けられており、側面４５ａと、光射出面４５ｂと、底面４５ｃと、を有している。導光板４１は、光射出面４５ｂが表示面９側すなわち偏光板１９ａ側に向けられた状態で設けられている。光射出面４５ｂは、偏光板１９ａに対向している。
光源４３は、例えば、ＬＥＤ（Light Emitting Diode）や冷陰極管などが採用され、導光板４１の側面４５ａに対向した状態で設けられている。
【００４８】
光源４３からの光は、導光板４１の側面４５ａに入射される。導光板４１に入射された光は、導光板４１の中で反射しながら光射出面４５ｂから射出される。光射出面４５ｂから射出された光は、偏光板１９ａを介して液晶パネル１１に入射される。なお、導光板４１には、必要に応じて、光射出面４５ｂに拡散板が設けられ、底面４５ｃに反射板が設けられる。
【００４９】
表示パネル３に設定されている複数の画素７は、それぞれ、表示面９から射出する光の色が、図３に示すように、赤系（Ｒ）、緑系（Ｇ）及び青系（Ｂ）のうちの１つに設定されている。つまり、マトリクスＭを構成する複数の画素７は、Ｒの光を射出する画素７ｒと、Ｇの光を射出する画素７ｇと、Ｂの光を射出する画素７ｂとを含んでいる。
【００５０】
ここで、Ｒの色は、純粋な赤の色相に限定されず、橙等を含む。Ｇの色は、純粋な緑の色相に限定されず、青緑や黄緑等を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００５１】
マトリクスＭでは、Ｙ方向に沿って並ぶ複数の画素７が、１つの画素列５１を構成している。また、Ｘ方向に沿って並ぶ複数の画素７が、１つの画素行５３を構成している。１つの画素列５１内の各画素７は、光の色がＲ、Ｇ及びＢのうちの１つに設定されている。つまり、マトリクスＭは、複数の画素７ｒがＹ方向に配列した画素列５１ｒと、複数の画素７ｇがＹ方向に配列した画素列５１ｇと、複数の画素７ｂがＹ方向に配列した画素列５１ｂとを有している。そして、マトリクスＭでは、画素列５１ｒ、画素列５１ｇ及び画素列５１ｂが、Ｘ方向に沿って反復して並んでいる。
なお、以下においては、画素列５１という表記と、画素列５１ｒ、画素列５１ｇ及び画素列５１ｂという表記とが、適宜、使いわけられる。
【００５２】
また、表示装置１では、マトリクスＭを構成する複数の画素７は、図４に示すように、複数の第１の画素７1と、複数の第２の画素７2とに区別されている。表示装置１では、照明装置５から表示パネル３に入射された光を、複数の第１の画素７1から選択的に表示面９を介して表示パネル３の外に射出することで、表示面９に第１の画像を表示することができる。
他方で、表示装置１では、照明装置５から表示パネル３に入射された光を、複数の第２の画素７2から選択的に表示面９を介して表示パネル３の外に射出することで、表示面９に第２の画像を表示することができる。
表示装置１では、第１の画像及び第２の画像を、同一フレーム内で表示することができる。
【００５３】
また、表示装置１では、マトリクスＭを構成する複数の画素行５３は、複数の第１の配列５３1と、複数の第２の配列５３2と、に区別されている。表示装置１では、照明装置５から表示パネル３に入射された光を、複数の第１の配列５３1に属する複数の画素７から選択的に表示面９を介して表示パネル３の外に射出することで、表示面９に第３の画像を表示することができる。
他方で、表示装置１では、照明装置５から表示パネル３に入射された光を、複数の第２の配列５３2に属する複数の画素７から選択的に表示面９を介して表示パネル３の外に射出することで、表示面９に第４の画像を表示することができる。
表示装置１では、第３の画像及び第４の画像を、同一フレーム内で表示することができる。
【００５４】
なお、第１の画像と第２の画像とは、互いに異なる画像であることと、互いに同じ画像であることとが問われない。同様に、第３の画像と第４の画像とは、互いに異なる画像であることと、互いに同じ画像であることとが問われない。さらに、第１〜第４の画像は、相互に異なる画像であることと、相互に同じ画像であることとが問われない。
また、以下においては、画素７という表記と、画素７ｒ、７ｇ及び７ｂという表記と、第１の画素７1及び第２の画素７2という表記とが、適宜、使いわけられる。また、第１の画素７1及び第２の画素７2のそれぞれに対してＲ、Ｇ及びＢが識別される場合、第１の画素７ｒ1，７ｇ1及び７ｂ1、並びに、第２の画素７ｒ2，７ｇ2及び７ｂ2という表記が用いられる。
また、画素行５３という表記と、第１の配列５３1という表記と、複数の第２の配列５３2という表記とが、適宜、使いわけられる。
【００５５】
表示装置１では、第１の画素７1と第２の画素７2とが、Ｘ方向に交互に並んでいる。また、第１の画素７1と第２の画素７2とは、Ｙ方向においても交互に並んでいる。
表示装置１では、マトリクスＭを構成する複数の画素７は、Ｘ方向に隣り合う第１の画素７1及び第２の画素７2の２つの画素７ごとに、これらの２つの画素７を１組とする複数組の画素群５５にわけられている。各画素群５５での第１の画素７1及び第２の画素７2の並び順は、複数組の画素群５５間で統一している。本実施形態では、第１の画素７1と第２の画素７2とが、図４で見て、Ｘ方向に左側から右側に向かってこの順で並んでいる。なお、第１の画素７1及び第２の画素７2の並び順は、複数組の画素群５５間で統一していれば、いずれが左側でも右側でもよい。
【００５６】
表示装置１では、複数組の画素群５５は、図５に示すように、Ｘ方向に沿って並んでいる。Ｙ方向に対しては、複数組の画素群５５がジグザグに並んでいる。
別の観点では、複数組の画素群５５が、図６（ａ）に示すように、Ｘ方向及びＹ方向の双方に交差するＬ方向に沿って並んでいる。また、他の観点では、複数組の画素群５５は、図６（ｂ）に示すように、Ｘ方向及びＹ方向の双方に交差するＬ'方向に沿って並んでいる。
【００５７】
ここで、表示パネル３の構成について、詳細を説明する。
液晶パネル１１の駆動素子基板２１は、図４中のＣ−Ｃ線における断面図である図７に示すように、第１基板６１を有している。第１基板６１は、例えばガラスや石英などの光透過性を有する材料で構成されており、表示面９側に向けられた第１面６３ａと、底面２９側に向けられた第２面６３ｂとを有している。
【００５８】
第１基板６１の第１面６３ａには、ゲート絶縁膜６５が設けられている。ゲート絶縁膜６５の表示面９側には、絶縁膜６７が設けられている。絶縁膜６７の表示面９側には、配向膜６９が設けられている。
また、駆動素子基板２１には、各画素７に対応して、スイッチング素子の１つであるＴＦＴ（Thin Film Transistor）素子７１と、画素電極７３とが、第１基板６１の第１面６３ａ側に設けられている。
ＴＦＴ素子７１は、ゲート電極７５と、半導体層７７と、ソース電極７９と、ドレイン電極８１とを有している。
【００５９】
ゲート電極７５は、第１基板６１の第１面６３ａに設けられており、ゲート絶縁膜６５によって表示面９側から覆われている。なお、ゲート電極７５の材料としては、例えば、モリブデン、タングステン、クロムなどの金属や、これらを含む合金などが採用され得る。また、ゲート絶縁膜６５の材料としては、例えば、酸化シリコンや窒化シリコンなどの光透過性を有する材料が採用され得る。
半導体層７７は、例えばアモルファスシリコンで構成されており、ゲート絶縁膜６５を挟んでゲート電極７５に対向する位置に設けられている。
【００６０】
ソース電極７９は、ゲート絶縁膜６５の表示面９側に設けられており、一部が半導体層７７に重なっている。ドレイン電極８１は、ゲート絶縁膜６５の表示面９側に設けられており、一部が半導体層７７に重なっている。なお、ソース電極７９やドレイン電極８１の材料としては、例えば、金、銀、銅、アルミニウムなどの金属や、これらを含む合金などが採用され得る。
上記の構成を有するＴＦＴ素子７１は、半導体層７７がゲート電極７５と、ソース電極７９及びドレイン電極８１との間に位置する所謂ボトムゲート型である。このＴＦＴ素子７１は、絶縁膜６７によって表示面９側から覆われている。なお、絶縁膜６７の材料としては、例えば、酸化シリコン、窒化シリコン、アクリル系の樹脂などの光透過性を有する材料が採用され得る。
【００６１】
画素電極７３は、絶縁膜６７の表示面９側に設けられている。画素電極７３は、例えばＩＴＯ（Indium Tin Oxide）やインジウム亜鉛酸化物等の光透過性を有する材料や、マグネシウムと銀とを含む合金等を薄膜化して光透過性を付与したものなどで構成され得る。画素電極７３は、絶縁膜６７に設けられたコンタクトホール８３を介してドレイン電極８１につながっている。
配向膜６９は、例えばポリイミドなどの光透過性を有する材料で構成されており、絶縁膜６７及び画素電極７３を表示面９側から覆っている。なお、配向膜６９には、ラビング処理などの配向処理が施されている。
【００６２】
対向基板２３は、第２基板８５を有している。第２基板８５は、例えばガラスや石英などの光透過性を有する材料で構成されており、表示面９側に向けられた外向面８６ａと、底面２９側に向けられた対向面８６ｂとを有している。
第２基板８５の対向面８６ｂには、各画素７を区画する光吸収層８７が領域８８にわたって設けられている。表示装置１では、各画素７は、光吸収層８７によって囲まれた領域であると定義され得る。光吸収層８７は、例えば、カーボンブラックやクロムなどの光吸収性が高い材料を含有する樹脂などで構成されており、平面視で格子状に設けられている。
【００６３】
また、第２基板８５の対向面８６ｂには、光吸収層８７によって囲まれた各領域、すなわち各画素７の領域を底面２９側から覆うカラーフィルタ８９が設けられている。
ここで、カラーフィルタ８９は、入射された光のうち所定の波長域の光を透過させることができる。カラーフィルタ８９は、画素７ｒ、画素７ｇ及び画素７ｂごとに異なる色に着色された樹脂などで構成されている。画素７ｒに対応するカラーフィルタ８９は、Ｒの光を透過させることができる。画素７ｇに対応するカラーフィルタ８９はＧの光を透過させ、画素７ｂに対応するカラーフィルタ８９はＢの光を透過させることができる。なお、以下において、各カラーフィルタ８９に対してＲ、Ｇ及びＢが識別される場合に、カラーフィルタ８９ｒ，８９ｇ及び８９ｂという表記が用いられる。
【００６４】
光吸収層８７及びカラーフィルタ８９の底面２９側には、オーバーコート層９１が設けられている。オーバーコート層９１は、光透過性を有する樹脂などで構成されており、光吸収層８７及びカラーフィルタ８９を底面２９側から覆っている。
オーバーコート層９１の底面２９側には、対向電極９３が設けられている。対向電極９３は、例えばＩＴＯやインジウム亜鉛酸化物等の光透過性を有する材料や、マグネシウムと銀とを含む合金等を薄膜化して光透過性を付与したものなどで構成され得る。
【００６５】
対向電極９３は、マトリクスＭを構成する複数の画素７間にわたって一連した状態で設けられている。つまり、対向電極９３は、マトリクスＭを構成する複数の画素７に平面視で重なる領域に設けられており、複数の画素７間にわたって共通して機能する。なお、対向電極９３は、図示しない共通線につながっている。
対向電極９３の底面２９側には、配向膜９５が設けられている。配向膜９５は、例えばポリイミドなどの光透過性を有する材料で構成されており、対向電極９３を底面２９側から覆っている。配向膜９５には、ラビング処理などの配向処理が施されている。
【００６６】
駆動素子基板２１及び対向基板２３の間に介在する液晶２５は、配向膜６９と配向膜９５との間に介在している。表示装置１では、図２に示すシール材２７は、図７に示す第１基板６１の第１面６３ａと、第２基板８５の対向面８６ｂとによって挟持されている。つまり、表示装置１では、液晶２５は、第１基板６１及び第２基板８５によって保持されている。なお、シール材２７は、配向膜６９及び配向膜９５の間に設けられていてもよい。この場合、液晶２５は、駆動素子基板２１及び対向基板２３に保持されているとみなされ得る。
【００６７】
また、表示装置１において、液晶２５を駆動する最小単位が画素７であるという観点から、各画素７は、１つの画素電極７３と、この１つの画素電極７３に平面視で重なる領域内の対向電極９３と、によっても規定され得る。平面視で、１つの画素電極７３と対向電極９３とが重なり合う領域が１つの画素７の領域とみなされ得る。このため、画素７は、１つのＴＦＴ素子７１と、このＴＦＴ素子７１に電気的につながる画素電極７３と、この画素電極７３に平面視で重なる対向電極９３と、この画素電極７３及び対向電極９３の間に介在する液晶２５と、１つのカラーフィルタ８９と、を有する素子であるともみなされ得る。
【００６８】
バリア基板１３は、第３基板１０１を有している。第３基板１０１は、例えばガラスや石英などの光透過性を有する材料で構成されており、表示面９側に向けられた外向面１０２ａと、底面２９側に向けられた対向面１０２ｂと、を有している。
第３基板１０１の対向面１０２ｂには、バリア層３１が設けられている。バリア層３１は、位相差層１０３と、遮光膜１０５と、を有している。
位相差層１０３は、第３基板１０１の対向面１０２ｂに設けられている。遮光膜１０５は、位相差層１０３の底面２９側に設けられている。
【００６９】
ここで、遮光膜１０５は、マトリクスＭを構成する複数の画素７間にわたって設けられている。つまり、遮光膜１０５は、マトリクスＭを構成する複数の画素７に平面視で重なる領域に設けられている。遮光膜１０５は、例えば、カーボンブラックなどを含有する樹脂や、クロムなどの光吸収性が高い材料で構成され得る。
遮光膜１０５には、平面図である図８に示すように、複数の開口部１０９が設けられている。各開口部１０９は、Ｙ方向に隣り合う第１の配列５３1及び第２の配列５３2の１組に対応して設けられている。他の観点から、Ｙ方向に隣り合う第１の配列５３1及び第２の配列５３2の１組ごとに遮光膜１０５が設けられているとも表現され得る。
なお、図８では、構成をわかりやすく示すため、遮光膜１０５にハッチングが施されている。
【００７０】
各開口部１０９は、複数の第１開口部１０９ａの領域と、１つの第２開口部１０９ｂの領域とに仮想的に識別され得る。このため、各開口部１０９は、複数の第１開口部１０９ａと、１つの第２開口部１０９ｂと、が複合した構成を有しているとみなされ得る。
各第１開口部１０９ａは、各画素群５５に対応して設けられている。第２開口部１０９ｂは、Ｙ方向に隣り合う第１の配列５３1及び第２の配列５３2の間に位置しており、これらの第１の配列５３1及び第２の配列５３2にＹ方向にまたがっている。他の観点では、第２開口部１０９ｂは、Ｙ方向に隣り合う２つの画素群５５の間に位置しており、これらの２つの画素群５５にＹ方向にまたがっている。
このため、第２開口部１０９ｂは、Ｙ方向に隣り合う第１の配列５３1及び第２の配列５３2の１組において、Ｙ方向に隣り合う２つの画素７にまたがっている。
【００７１】
各第１開口部１０９ａは、図８中のＤ−Ｄ線における断面図である図９に示すように、各画素群５５において、第１の画素７1及び第２の画素７2の間に位置しており、これらの第１の画素７1及び第２の画素７2にＸ方向にまたがっている。
各第１開口部１０９ａは、図８に示すように、平面視で、遮光膜１０５に対してＹ方向に食い込んだ（入り組んだ）態様を有している。
【００７２】
位相差層１０３は、平面図である図１０に示すように、マトリクスＭを構成する複数の画素７間にわたって設けられている。つまり、位相差層１０３は、マトリクスＭを構成する複数の画素７に平面視で重なる領域に設けられている。
位相差層１０３は、複数の第１位相差層１０３ａと、第２位相差層１０３ｂと、を有している。なお、図１０では、構成をわかりやすく示すため、第１位相差層１０３ａ及び第２位相差層１０３ｂのそれぞれにハッチングが施されている。
【００７３】
各第１位相差層１０３ａは、図１１に示すように、各画素群５５に対応して設けられている。各第１位相差層１０３ａは、図９に示すように、Ｘ方向において、各画素群５５における第１の画素７1及び第２の画素７2の間に位置しており、これらの第１の画素７1及び第２の画素７2にＸ方向にまたがっている。このため、各第１位相差層１０３ａは、各画素群５５において、第１の画素７1及び第２の画素７2のそれぞれの一部に重なっている。また、各第１位相差層１０３ａは、図７に示すように、Ｙ方向において、各画素７の領域にわたっている。
なお、図１１では、構成をわかりやすく示すため、第１位相差層１０３ａにハッチングが施されている。
【００７４】
第２位相差層１０３ｂは、図１２に示すように、複数の第１位相差層１０３ａの領域１０３ａａを除いて、マトリクスＭを構成する複数の画素７間にまたがって一連した状態で設けられている。このため、第２位相差層１０３ｂは、マトリクスＭを構成する複数の画素７間のそれぞれの一部に重なっている。
なお、図１２では、構成をわかりやすく示すため、第２位相差層１０３ｂにハッチングが施されている。
【００７５】
第１位相差層１０３ａ及び第２位相差層１０３ｂは、それぞれ、入射された光に位相差を付与する。本実施形態では、第１位相差層１０３ａ及び第２位相差層１０３ｂのそれぞれが光に付与する位相差が、λ／２（λは、光の波長を示す）に設定されている。
位相差層１０３は、例えば、液晶化合物を含む材料で構成され得る。本実施形態では、第１位相差層１０３ａと、第２位相差層１０３ｂとで、液晶化合物に含まれる液晶分子の配向方向が異なっている。このため、第１位相差層１０３ａと、第２位相差層１０３ｂとでは、遅相軸の方向が異なっている。
【００７６】
上記の構成を有する位相差層１０３は、図９に示すように、遮光膜１０５よりも表示面９側に設けられており、平面視で遮光膜１０５に重なっている。本実施形態では、遮光膜１０５は、位相差層１０３及び遮光膜１０５を示す平面図である図１３に示すように、第２位相差層１０３ｂの一部に重なっている。
【００７７】
複数の第１位相差層１０３ａは、それぞれ、遮光膜１０５に設けられている各開口部１０９の各第１開口部１０９ａに対応して設けられている。このため、各第１位相差層１０３ａは、各開口部１０９の領域に重なっており、各開口部１０９から露呈している。また、第２位相差層１０３ｂのうちで各開口部１０９の領域に重なっている部位は、各開口部１０９から露呈している。
なお、図１３では、構成をわかりやすく示すため、第１位相差層１０３ａ及び第２位相差層１０３ｂのそれぞれにハッチングが施されているとともに、遮光膜１０５が塗りつぶされている。
【００７８】
上記の構成を有するバリア基板１３は、図９に示すように、対向面１０２ｂが第２基板８５の外向面８６ａに向けられた状態で、バリア層３１が偏光板１９ｂに、光透過性を有する接着剤１０７を介して貼り付けられている。なお、開口部１０９内には、接着剤１０７が入り込んでいることが、光の屈折を軽減する観点から、好ましい。さらに、開口部１０９内が接着剤１０７で満たされていることが、より好ましい。
【００７９】
ここで、ＴＦＴ素子７１や画素電極７３の配置について説明する。
ＴＦＴ素子７１は、図７に示すように、領域８８内に設けられており、ドレイン電極８１が領域８８内から画素７の領域内に延長されている。なお、各画素電極７３は、平面視で周縁部が領域８８内に及んでいる。
また、駆動素子基板２１は、図９に示すように、複数のソース線Ｓを有している。複数のソース線Ｓは、ゲート絶縁膜６５上に設けられており、絶縁膜６７によって表示面９側から覆われている。
【００８０】
Ｙ方向に隣り合うＴＦＴ素子７１間において、ソース電極７９同士は、ＴＦＴ素子７１及び画素電極７３の配置を示す平面図である図１４に示すように、ソース線Ｓを介してつながっている。また、Ｘ方向に隣り合うＴＦＴ素子７１間において、ゲート電極７５同士は、ゲート線Ｔを介してつながっている。図１４では、構成をわかりやすく示すため、ゲート線Ｔ及び画素電極７３のそれぞれにハッチングが施されている。
【００８１】
ここで、ゲート電極７５は、Ｘ方向に沿って並ぶ複数の画素７間にわたって一連したゲート線Ｔとして設けられている。そして、画素７ごとにゲート線Ｔに対向する位置に半導体層７７が設けられている。各ゲート線Ｔにおいて、平面視で半導体層７７に重なる領域がゲート電極７５であると定義され得る。
なお、図７における駆動素子基板２１の断面は、図１４中のＥ−Ｅ線における断面に相当している。
【００８２】
表示装置１では、駆動素子基板２１は、図１５に示すように、複数のゲート線Ｔと、複数のソース線Ｓとを有している。なお、以下において複数のゲート線Ｔ及び複数のソース線Ｓのそれぞれが識別される場合に、ゲート線Ｔ（ｎ）という表記と、ソース線Ｓ（ｍ）という表記とが用いられる。ｎ及びｍは、それぞれ、１以上の整数をとり得る変数である。
【００８３】
複数のゲート線Ｔ及び複数のソース線Ｓは、格子状に配線されている。複数のゲート線Ｔは、Ｙ方向に互いに間隔をあけた状態で、Ｘ方向に沿って延びている。複数のソース線Ｓは、Ｘ方向に互いに間隔をあけた状態で、Ｙ方向に沿って延びている。各画素７は、各ゲート線Ｔと各ソース線Ｓとの交差に対応して設定されている。
各ソース線Ｓは、Ｙ方向に沿って並ぶ複数の画素７すなわち各画素列５１に対応している。各ゲート線Ｔは、Ｘ方向に沿って並ぶ複数の画素７すなわち各画素行５３に対応している。
【００８４】
ここで、スイッチングパネル１７の構成について、詳細を説明する。
駆動電極基板３３は、図２中のＦ部の拡大図である図１６に示すように、第４基板１２１を有している。
第４基板１２１は、例えばガラスや石英などの光透過性を有する材料で構成されており、表示面９側に向けられた第１面１２２ａと、底面２９側に向けられた第２面１２２ｂとを有している。
第４基板１２１の第１面１２２ａには、駆動電極１２３と配向膜１２５とが設けられている。
【００８５】
駆動電極１２３は、第４基板１２１の第１面１２２ａに設けられている。駆動電極１２３は、例えばＩＴＯやインジウム亜鉛酸化物等の光透過性を有する材料や、マグネシウムと銀とを含む合金等を薄膜化して光透過性を付与したものなどで構成され得る。駆動電極１２３は、マトリクスＭを構成する複数の画素７間にわたって一連した状態で設けられている。つまり、駆動電極１２３は、マトリクスＭを構成する複数の画素７に平面視で重なる領域に設けられている。
配向膜１２５は、例えばポリイミドなどの光透過性を有する材料で構成されており、駆動電極１２３を表示面９側から覆っている。
【００８６】
対向基板３５は、第５基板１３１を有している。第５基板１３１は、例えばガラスや石英などの光透過性を有する材料で構成されており、表示面９側に向けられた外向面１３２ａと、底面２９側に向けられた対向面１３２ｂとを有している。
第５基板１３１の対向面１３２ｂには、共通電極１３３と配向膜１３５とが設けられている。
【００８７】
共通電極１３３は、第５基板１３１の対向面１３２ｂに設けられている。共通電極１３３は、例えばＩＴＯやインジウム亜鉛酸化物等の光透過性を有する材料や、マグネシウムと銀とを含む合金等を薄膜化して光透過性を付与したものなどで構成され得る。共通電極１３３は、マトリクスＭを構成する複数の画素７間にわたって一連した状態で設けられている。つまり、共通電極１３３は、マトリクスＭを構成する複数の画素７に平面視で重なる領域に設けられている。
このため、駆動電極１２３及び共通電極１３３は、互いに対向しており、平面視で重なり合っている。
【００８８】
配向膜１３５は、例えばポリイミドなどの光透過性を有する材料で構成されており、共通電極１３３を底面２９側から覆っている。
なお、配向膜１２５及び配向膜１３５には、それぞれ、ラビング処理などの配向処理が施されている。
【００８９】
駆動電極基板３３及び対向基板３５の間に介在する液晶３７は、配向膜１２５と配向膜１３５との間に介在している。表示装置１では、図２に示すシール材３９は、図１６に示す第４基板１２１の第１面１２２ａと、第５基板１３１の対向面１３２ｂとによって挟持されている。つまり、表示装置１では、液晶３７は、第４基板１２１及び第５基板１３１によって保持されている。なお、シール材３９は、配向膜１２５及び配向膜１３５の間に設けられていてもよい。この場合、液晶３７は、駆動電極基板３３及び対向基板３５に保持されているとみなされ得る。
【００９０】
制御部６は、表示装置１のブロック図である図１７に示すように、光源制御部１５１と、スイッチ制御部１５３と、画像制御部１５５と、を有している。
光源制御部１５１は、光源４３への電力の供給と、電力の遮断とを制御する。
画像制御部１５５は、液晶パネル１１の各ゲート線Ｔ（ｎ）へのゲート信号の供給と、各ソース線Ｓ（ｍ）へのソース信号の供給とを制御する。
【００９１】
スイッチ制御部１５３は、スイッチングパネル１７のＯＮ状態とＯＦＦ状態との切り替えを制御する。スイッチングパネル１７のＯＮ状態とＯＦＦ状態との切り替えは、駆動電極１２３への駆動信号の供給を制御することにより行われる。
本実施形態では、スイッチ制御部１５３から駆動電極１２３に駆動信号が供給されると、スイッチングパネル１７がＯＮ状態となる。
なお、液晶パネル１１の対向電極９３及びスイッチングパネル１７の共通電極１３３は、グランド電位に保たれる。
【００９２】
上記の構成を有する表示装置１では、光源制御部１５１が光源４３に電力を供給することで照明装置５から表示パネル３に光を照射した状態で、液晶２５の配向状態を画素７ごとに変化させることにより、表示が制御される。液晶２５の配向状態は、ＴＦＴ素子７１のＯＦＦ状態及びＯＮ状態を切り替えることによって変化し得る。本実施形態では、ＴＦＴ素子７１がＯＮ状態のときに、画素電極７３及び対向電極９３間に電界が形成される。また、ＴＦＴ素子７１がＯＦＦ状態のときに、画素電極７３及び対向電極９３間の電界の発生が極めて低く抑えられる。
【００９３】
図１８（ａ）は、ＴＦＴ素子７１がＯＦＦ状態のときの液晶パネル１１での偏光状態を示す図である。図１８（ｂ）は、ＴＦＴ素子７１がＯＮ状態のときの液晶パネル１１での偏光状態を示す図である。
表示装置１では、偏光板１９ａの透過軸の方向１６１ａは、図１８（ａ）及び図１８（ｂ）に示すように、平面視で偏光板１９ｂの透過軸の方向１６１ｂに直交している。配向膜６９の配向方向１６３は、平面視で透過軸の方向１６１ａに沿っている。配向膜９５の配向方向１６５は、平面視で透過軸の方向１６１ａに直交している。
なお、図１８（ａ）及び図１８（ｂ）において、Ｘ'方向及びＹ'方向は、Ｘ'方向が平面視で偏光板１９ｂの透過軸の方向１６１ｂに沿った方向を示し、Ｙ'方向がＸＹ平面内でＸ'方向に直交する方向を示している。Ｘ'方向及びＹ'方向は、ＸＹ平面内で互いに直交する任意の２方向である。
【００９４】
光源４３から導光板４１を介して偏光板１９ａに入射された入射光は、偏光板１９ａの透過軸の方向１６１ａすなわちＹ'方向に沿った偏光軸を有する直線偏光１６７として液晶２５に入射される。
液晶２５に入射された直線偏光１６７は、ＴＦＴ素子７１がＯＦＦ状態のときに、図１８（ａ）に示すように、液晶２５の旋光性によってＸ'方向に沿った偏光軸を有する直線偏光１６９として偏光板１９ｂに向けて射出される。偏光板１９ｂに向けて射出された直線偏光１６９は、偏光軸の方向が偏光板１９ｂの透過軸の方向１６１ｂに沿っているため、偏光板１９ｂを透過する。
【００９５】
他方で、ＴＦＴ素子７１がＯＮ状態のときに、直線偏光１６７は、図１８（ｂ）に示すように、偏光状態が維持されたまま直線偏光１７１として偏光板１９ｂに向けて射出される。偏光板１９ｂに向けて射出された直線偏光１７１は、偏光軸の方向が偏光板１９ｂの透過軸の方向１６１ｂに対して直交しているため、偏光板１９ｂによって吸収される。
【００９６】
表示装置１では、ＴＦＴ素子７１がＯＦＦ状態のときに液晶パネル１１から表示面９側に光が射出され、ＴＦＴ素子７１がＯＮ状態のときに液晶パネル１１からの光の射出が遮断される所謂ノーマリホワイト（初期的に“白表示”の状態）の表示モードが採用されている。しかしながら、表示モードは、ノーマリホワイトに限定されず、所謂ノーマリブラック（初期的に“黒表示”の状態）も採用され得る。
【００９７】
図１９（ａ）は、スイッチングパネル１７がＯＦＦ状態のときの第１位相差層１０３ａにおける偏光状態を示す図である。図１９（ｂ）は、スイッチングパネル１７がＯＦＦ状態のときの第２位相差層１０３ｂにおける偏光状態を示す図である。
表示装置１では、偏光板１９ｃの透過軸の方向１６１ｃは、図１９（ａ）及び図１９（ｂ）に示すように、平面視でＹ'方向に沿っている。
また、第１位相差層１０３ａの遅相軸の方向１７３ａは、図１９（ａ）に示すように、平面視でＹ'方向に沿っている。第２位相差層１０３ｂの遅相軸の方向１７３ｂは、図１９（ｂ）に示すように、平面視でＸ'方向から時計方向に４５度の傾きを有している。
【００９８】
ここで、スイッチングパネル１７は、ＯＦＦ状態のときに、入射された光に位相差を付与する。つまり、ＯＦＦ状態のスイッチングパネル１７は、位相差板としての機能を有する。
本実施形態では、スイッチングパネル１７は、入射された光にλ／２の位相差を付与する。これは、液晶３７（図１６）のリタデーション（複屈折率と厚みとの積）の設定によって実現され得る。スイッチングパネル１７では、入射された光にλ／２の位相差を付与するリタデーションが液晶３７に対して設定されている。
このリタデーションに設定されているスイッチングパネル１７では、遅相軸の方向１７５が、図１９（ａ）及び図１９（ｂ）に示すように、平面視でＸ'方向から反時計方向に４５度の傾きを有している。
【００９９】
偏光板１９ｂを透過した直線偏光１６９は、図１９（ａ）及び図１９（ｂ）に示すように、第１位相差層１０３ａ及び第２位相差層１０３ｂのそれぞれに入射される。
第１位相差層１０３ａの遅相軸の方向１７３ａは、図１９（ａ）に示すように、Ｙ'方向に沿っている。このため、第１位相差層１０３ａに入射される直線偏光１６９は、偏光状態が維持されたまま直線偏光１６９としてスイッチングパネル１７に向けて射出される。スイッチングパネル１７に向けて射出された直線偏光１６９は、スイッチングパネル１７によってλ／２の位相差が付与されて、Ｙ'方向に沿った偏光軸を有する直線偏光１７７として偏光板１９ｃに向けて射出される。
偏光板１９ｃに向けて射出された直線偏光１７７は、偏光軸の方向が偏光板１９ｃの透過軸の方向１６１ｃに沿っているため、偏光板１９ｃを透過する。
【０１００】
他方で、第２位相差層１０３ｂの遅相軸の方向１７３ｂは、図１９（ｂ）に示すように、Ｘ'方向から４５度の傾きを有している。このため、第２位相差層１０３ｂに入射される直線偏光１６９は、第２位相差層１０３ｂによってλ／２の位相差が付与される。直線偏光１６９は、Ｙ'方向に沿った偏光軸を有する直線偏光１７９として第２位相差層１０３ｂからスイッチングパネル１７に向けて射出される。
スイッチングパネル１７に向けて射出された直線偏光１７９は、スイッチングパネル１７によってλ／２の位相差が付与されて、Ｘ'方向に沿った偏光軸を有する直線偏光１８１として偏光板１９ｃに向けて射出される。
偏光板１９ｃに向けて射出された直線偏光１８１は、偏光軸の方向が偏光板１９ｃの透過軸の方向１６１ｃに対して直交しているため、偏光板１９ｃによって吸収される。
【０１０１】
上述したように、スイッチングパネル１７がＯＦＦ状態のときには、照明装置５から各画素７に入射された光のうちで各第１位相差層１０３ａを経由する光が、表示面９から表示パネル３の外側に射出され得る。また、スイッチングパネル１７がＯＦＦ状態のときに、照明装置５から各画素７に入射された光のうちで第２位相差層１０３ｂを経由する光は、遮光される。
【０１０２】
ここで、表示装置１では、第１位相差層１０３ａが、図１０に示すように、画素群５５ごとに設けられている。各第１の画素７1から表示面９側に向けて射出された光１９１ａは、液晶パネル１１及び位相差層１０３を模式的に示す断面図である図２０に示すように、各第１位相差層１０３ａを介して第１の範囲１９３に及ぶ。
また、各第２の画素７2から表示面９側に向けて射出された光１９１ｂは、各第１位相差層１０３ａを介して第２の範囲１９５に及ぶ。
なお、図２０に示す断面は、図１０中のＨ−Ｈ線における断面に相当している。また、図２０では、構成をわかりやすく示すため、第２位相差層１０３ｂが塗りつぶされている。
【０１０３】
第１の範囲１９３からは、各第１位相差層１０３ａを介して射出される第１の画素７1からの光１９１ａが視認され得る。第２の範囲１９５からは、各第１位相差層１０３ａを介して射出される第２の画素７2からの光１９１ｂが視認され得る。第１の範囲１９３内に視点があれば、複数の第１の画素７1からの光１９１ａによって形成される第１の画像が視認され得る。第２の範囲１９５内に視点があれば、複数の第２の画素７2からの光１９１ｂによって形成される第２の画像が視認され得る。つまり、表示装置１では、第１の画像を第１の範囲１９３に表示し、第２の画像を、第１の範囲１９３とは異なる第２の範囲１９５に表示する所謂指向性表示を行うことができる。このように、表示装置１では、Ｘ方向において隣り合う少なくとも２つの範囲に指向性表示を行うことができる。
【０１０４】
第１の範囲１９３及び第２の範囲１９５は、互いに重複する範囲１９７を有している。この範囲１９７からは、第１の画像と第２の画像とが重畳した状態で視認される。第１の範囲１９３から範囲１９７を除いた範囲１９３ａ（以下、適視範囲１９３ａと呼ぶ）からは、第１の画像だけが視認され得る。また、第２の範囲１９５から範囲１９７を除いた範囲１９５ａ（以下、適視範囲１９５ａと呼ぶ）からは、第２の画像だけが視認され得る。
【０１０５】
表示装置１は、複数の第１の画素７1から射出された光１９１ａが第１の範囲１９３の両端のそれぞれにおいて交差し、複数の第２の画素７2から射出された光１９１ｂが第２の範囲１９５の両端のそれぞれにおいて交差するように構成されている。これは、Ｘ方向に隣り合う第１位相差層１０３ａ同士間の間隔Ｐａｘを、Ｘ方向に隣り合う画素群５５同士間の間隔Ｐｂｘよりも短く設定することによって実現され得る。
これにより、適視範囲１９３ａ内にある任意の視点から視認される光の量を、複数の第１の画素７1間で同等にすることができる。同様に、適視範囲１９５ａ内にある任意の視点から視認される光の量を、複数の第２の画素７2間で同等にすることができる。
【０１０６】
図２１（ａ）は、スイッチングパネル１７がＯＮ状態のときの第１位相差層１０３ａにおける偏光状態を示す図である。図２１（ｂ）は、スイッチングパネル１７がＯＮ状態のときの第２位相差層１０３ｂにおける偏光状態を示す図である。
スイッチングパネル１７は、ＯＮ状態のときに、位相差板としての機能が解除される。
このため、第１位相差層１０３ａからスイッチングパネル１７に入射される直線偏光１６９は、図２１（ａ）に示すように、偏光状態が維持されたまま直線偏光１６９として偏光板１９ｃに向けて射出される。
偏光板１９ｃに向けて射出された直線偏光１６９は、偏光軸の方向が偏光板１９ｃの透過軸の方向１６１ｃに対して直交しているため、偏光板１９ｃによって吸収される。
【０１０７】
他方で、第２位相差層１０３ｂからスイッチングパネル１７に入射される直線偏光１７９は、図２１（ｂ）に示すように、偏光状態が維持されたまま直線偏光１７９として偏光板１９ｃに向けて射出される。
偏光板１９ｃに向けて射出された直線偏光１７９は、偏光軸の方向が偏光板１９ｃの透過軸の方向１６１ｃに沿っているため、偏光板１９ｃを透過する。
このように、スイッチングパネル１７がＯＮ状態のときには、照明装置５から各画素７に入射された光のうちで第２位相差層１０３ｂを経由する光が、表示面９から表示パネル３の外側に射出され得る。また、スイッチングパネル１７がＯＮ状態のときに、照明装置５から各画素７に入射された光のうちで第１位相差層１０３ａを経由する光は、遮光される。
【０１０８】
ここで、表示装置１では、遮光膜１０５が、図１３に示すように、Ｙ方向に隣り合う第１の配列５３1及び第２の配列５３2の１組ごとに位置している。Ｙ方向に並ぶ複数の画素７のうちで第１の配列５３1に属する画素７から表示面９側に射出された光２０１ａは、液晶パネル１１及びバリア層３１を模式的に示す断面図である図２２に示すように、各第２開口部１０９ｂを介して第３の範囲２０３に及ぶ。
また、Ｙ方向に並ぶ複数の画素７のうちで第２の配列５３2に属する画素７から表示面９側に射出された光２０１ｂは、各第２開口部１０９ｂを介して第４の範囲２０５に及ぶ。
なお、図２２に示す断面は、図１３中のＪ−Ｊ線における断面に相当している。また、図２２では、構成をわかりやすく示すため、遮光膜１０５が塗りつぶされている。
【０１０９】
第３の範囲２０３からは、各第２開口部１０９ｂを介して射出される第１の配列５３1からの光２０１ａが視認され得る。第４の範囲２０５からは、各第２開口部１０９ｂを介して射出される第２の配列５３2からの光２０１ｂが視認され得る。第３の範囲２０３内に視点があれば、複数の第１の配列５３1からの光２０１ａによって形成される第３の画像が視認され得る。第４の範囲２０５内に視点があれば、複数の第２の配列５３2からの光２０１ｂによって形成される第４の画像が視認され得る。つまり、表示装置１では、第３の画像を第３の範囲２０３に表示し、第４の画像を、第３の範囲２０３とは異なる第４の範囲２０５に表示する所謂指向性表示を行うことができる。このように、表示装置１では、Ｙ方向において隣り合う少なくとも２つの範囲に指向性表示を行うことができる。
【０１１０】
第３の範囲２０３及び第４の範囲２０５は、互いに重複する範囲２０７を有している。この範囲２０７からは、第３の画像と第４の画像とが重畳した状態で視認される。第３の範囲２０３から範囲２０７を除いた範囲２０３ａ（以下、適視範囲２０３ａと呼ぶ）からは、第３の画像だけが視認され得る。また、第４の範囲２０５から範囲２０７を除いた範囲２０５ａ（以下、適視範囲２０５ａと呼ぶ）からは、第４の画像だけが視認され得る。
【０１１１】
表示装置１は、複数の第１の配列５３1からの光２０１ａが第３の範囲２０３の両端のそれぞれにおいて交差し、複数の第２の配列５３2からの光２０１ｂが第４の範囲２０５の両端のそれぞれにおいて交差するように構成されている。これは、Ｙ方向に隣り合う第２開口部１０９ｂ同士間の間隔Ｐａｙを、Ｙ方向に隣り合う第１の配列５３1（第２の配列５３2）同士間の間隔Ｐｂｙよりも短く設定することによって実現され得る。
これにより、適視範囲２０３ａ内にある任意の視点から視認される光の量を、複数の第１の配列５３1間で同等にすることができる。同様に、適視範囲２０５ａ内にある任意の視点から視認される光の量を、複数の第２の配列５３2間で同等にすることができる。
【０１１２】
上述したように、表示装置１では、スイッチングパネル１７のＯＮ状態及びＯＦＦ状態を制御することにより、Ｘ方向における指向性表示と、Ｙ方向における指向性表示とを切り替えることができる。
これにより、例えば、表示面９に向かって、Ｘ方向を左右方向に合わせ、Ｙ方向を上下方向に合わせた状態（以下、第１状態と呼ぶ）で、左右方向に指向性表示を行ったり、上下方向に指向性表示を行ったりすることができる。
また、例えば、表示面９に向かって、Ｘ方向を上下方向に合わせ、Ｙ方向を左右方向に合わせた状態（以下、第２状態と呼ぶ）においても、左右方向に指向性表示を行ったり、上下方向に指向性表示を行ったりすることができる。
このため、例えば、第１状態を表示パネル３の縦向きと定め、第２状態を表示パネル３の横向きと定めれば、縦向き及び横向きのいずれにおいても左右方向又は上下方向に指向性表示を行うことができる。
【０１１３】
表示装置１では、第１の範囲１９３及び第２の範囲１９５の双方に対して、同じ画像を表示（以下、非指向性表示と呼ぶ）することができる。また、表示装置１では、第３の範囲２０３及び第４の範囲２０５の双方に対しても、非指向性表示を行うことができる。さらに、表示装置１では、第１の範囲１９３及び第２の範囲１９５、並びに第３の範囲２０３及び第４の範囲２０５のいずれの範囲に対しても、非指向性表示を行うことができる。
ここで、表示装置１で非指向性表示を行う表示方法について説明する。
表示装置１では、非指向性表示を行う方法として、第１の表示方法と、第２の表示方法と、第３の表示方法と、の３つの方法が考えられる。
【０１１４】
第１の表示方法では、スイッチングパネル１７が、ＯＮ状態及びＯＦＦ状態のいずれか一方の状態に維持される。
第２の表示方法では、スイッチングパネル１７のＯＮ状態とＯＦＦ状態とが、１フレーム期間よりも短い期間ごとに切り替えられる。
第３の表示方法では、ＯＮ状態におけるスイッチングパネル１７の遅相軸の方向が、直線偏光１６９の偏光軸と直線偏光１７７の偏光軸とがなす角の中央に沿う方向を除いて、直線偏光１６９の偏光軸及び直線偏光１７７の偏光軸に交差する方向に設定される。
【０１１５】
まず、非指向性表示における画像の形成について説明する。
図１７に示す画像制御部１５５は、液晶パネル１１のゲート線Ｔ（１）から順次、各ゲート線Ｔ（ｎ）にゲート信号を供給する。これにより、複数の画素７は、画素行５３単位でＴＦＴ素子７１が選択状態になる。
このとき、画像制御部１５５は、各ゲート線Ｔ（ｎ）に順次ゲート信号を供給するたびに、各画素行５３に対応するソース信号をパラレル信号として、画素行５３単位で複数のソース線Ｓに供給する。これにより、液晶パネル１１には、画素行５３単位で画像が表示されていく。
【０１１６】
１つのゲート線Ｔ（ｎ）にゲート信号を供給してから次の新たなゲート信号を供給するまでの期間が、１フレーム期間に相当する。各ゲート線Ｔ（ｎ）には、ゲート信号が１フレーム期間内に１回だけ供給される。
ゲート信号が１つ目のゲート線Ｔ（１）から最後のゲート線Ｔ（ｎ）まで順次に供給されると、液晶パネル１１には、１フレーム分の画像が表示される。
【０１１７】
第１の表示方法では、スイッチングパネル１７が、ＯＮ状態及びＯＦＦ状態のいずれか一方の状態に維持される。
例えば、スイッチングパネル１７がＯＮ状態に維持されると、複数の第１位相差層１０３ａを介して、第１の範囲１９３及び第２の範囲１９５の双方から画像が視認され得る。
また、例えば、スイッチングパネル１７がＯＦＦ状態に維持されると、第２位相差層１０３ｂを介して、第３の範囲２０３及び第４の範囲２０５の双方から画像が視認され得る。
【０１１８】
第２の表示方法では、図１７に示すスイッチ制御部１５３は、駆動電極１２３への駆動信号の供給と、駆動信号の供給の停止とを、１フレーム期間よりも短い期間ごとに交互に切り替える。このとき、１フレーム分の画像は、複数の第１位相差層１０３ａ及び第２位相差層１０３ｂのそれぞれから交互に視認され得る。これにより、第１の範囲１９３及び第２の範囲１９５、並びに第３の範囲２０３及び第４の範囲２０５のいずれの範囲に対しても、非指向性表示を行うことができる。
なお、１フレーム期間よりも短い期間としては、例えば、１フレーム期間の半分の期間が採用され得る。これにより、複数の第１位相差層１０３ａ及び第２位相差層１０３ｂのそれぞれから、１フレーム期間の半分の期間ごとに交互に画像が視認され得る。
【０１１９】
また、１フレーム期間よりも短い期間は、例えば、各第１位相差層１０３ａと各画素７の領域とが重なり合う面積と、各開口部１０９内で第２位相差層１０３ｂと各画素７の領域とが重なり合う面積と、の差異に応じて設定され得る。
これにより、各第１位相差層１０３ａを介して視認される各画素７からの光量と、第２位相差層１０３ｂを介して視認される各画素７からの光量とをそろえやすくすることができる。これにより、スイッチングパネル１７のＯＮ状態とＯＦＦ状態とが切り替わっていることを目立ちにくくすることができる。この結果、表示品位の向上が図られる。
【０１２０】
第３の表示方法では、スイッチ制御部１５３は、第２の表示方法における電位とは異なる電位の駆動信号を駆動電極１２３へ供給する。このときの駆動信号の電位は、スイッチングパネル１７の遅相軸の方向１７５（図１９（ａ）及び図１９（ｂ））が、直線偏光１６９の偏光軸と直線偏光１７７の偏光軸とがなす角の中央に沿う方向を除いて、直線偏光１６９の偏光軸及び直線偏光１７７の偏光軸に交差する方向となる電位が採用され得る。
ここで、直線偏光１６９の偏光軸と直線偏光１７７の偏光軸とがなす角の中央に沿う方向は、Ｘ'方向から反時計方向に４５度の方向と、Ｘ'方向から時計方向に４５度の方向とが相当する。
【０１２１】
第３の表示方法における駆動信号の電位としては、例えば、第２の表示方法における電位よりも低い電位が採用され得る。さらに、このときの電位としては、スイッチングパネル１７の遅相軸の方向１７５が、図２３（ａ）及び図２３（ｂ）に示すように、平面視でＸ'方向から反時計方向に２２．５度だけ傾く電位が採用され得る。
第１位相差層１０３ａからスイッチングパネル１７に入射される直線偏光１６９は、図２３（ａ）に示すように、スイッチングパネル１７によってλ／２の位相差が付与されて、直線偏光２１１として偏光板１９ｃに向けて射出される。直線偏光２１１の偏光軸は、平面視でＸ'方向から反時計方向に４５度の傾きを有している。
【０１２２】
偏光板１９ｃに向けて射出された直線偏光２１１は、偏光軸の方向が偏光板１９ｃの透過軸の方向１６１ｃと交差しているため、直線偏光２１３として偏光板１９ｃを透過する。なお、直線偏光２１１は、偏光軸が偏光板１９ｃの透過軸の方向１６１ｃと交差しているため、一部が偏光板１９ｃによって吸収される。このため、直線偏光２１３は、直線偏光２１１よりも光の強度が低くなる。
【０１２３】
また、第２位相差層１０３ｂからスイッチングパネル１７に入射される直線偏光１７９は、図２３（ｂ）に示すように、スイッチングパネル１７によってλ／２の位相差が付与されて、直線偏光２１５として偏光板１９ｃに向けて射出される。直線偏光２１５の偏光軸は、平面視でＸ'方向から時計方向に４５度の傾きを有している。
【０１２４】
偏光板１９ｃに向けて射出された直線偏光２１５は、偏光軸の方向が偏光板１９ｃの透過軸の方向１６１ｃと交差しているため、直線偏光２１７として偏光板１９ｃを透過する。なお、直線偏光２１５は、偏光軸が偏光板１９ｃの透過軸の方向１６１ｃと交差しているため、一部が偏光板１９ｃによって吸収される。このため、直線偏光２１７は、直線偏光２１５よりも光の強度が低くなる。
【０１２５】
第３の表示方法によれば、第１の範囲１９３及び第２の範囲１９５、並びに第３の範囲２０３及び第４の範囲２０５のいずれの範囲に対しても、非指向性表示を行うことができる。
本実施形態では、直線偏光２１１の偏光軸と、直線偏光２１５の偏光軸とは、互いに直交している。このため、直線偏光２１３の光の強度と、直線偏光２１７の光の強度とを、略同等にすることができる。これにより、各第１位相差層１０３ａと第２位相差層１０３ｂとの境界を目立ちにくくすることができる。この結果、表示品位の向上が図られる。
【０１２６】
本実施形態において、Ｘ方向が第１方向に対応し、Ｌ方向又はＬ'方向が第２方向に対応し、直線偏光１６９が第１偏光軸を有する第１偏光に対応し、直線偏光１７９が第２偏光軸を有する第２偏光に対応している。また、第２位相差層１０３ｂが位相差層に対応し、第１位相差層１０３ａが他の位相差層に対応し、スイッチングパネル１７が屈折可変装置に対応し、スイッチングパネル１７のＯＦＦ状態が屈折状態に対応し、スイッチングパネル１７のＯＮ状態が維持状態に対応している。また、偏光板１９ｃが偏光素子に対応し、第１開口部１０９ａが第１領域に対応し、第２開口部１０９ｂが第２領域に対応し、駆動電極１２３及び共通電極１３３が一対の電極に対応し、液晶３７が液晶に対応している。
【０１２７】
表示装置１では、第１位相差層１０３ａの遅相軸の方向１７３ａ（図１９（ａ）及び図２１（ａ））が、Ｙ'方向に沿っている。このため、直線偏光１６９の偏光軸の方向を維持させることができる。
また、第２位相差層１０３ｂの遅相軸の方向１７３ｂ（図１９（ｂ）及び図２１（ｂ））が、Ｘ'方向及びＹ'方向の双方に交差している。このため、直線偏光１７９の偏光軸の方向を直線偏光１６９の偏光軸の方向に対して交差させることができる。本実施形態では、第２位相差層１０３ｂの遅相軸の方向１７３ｂが、Ｘ'方向から時計方向に４５度の傾きを有している。このため、直線偏光１７９の偏光軸の方向を直線偏光１６９の偏光軸の方向に対して略直交させることができる。
【０１２８】
また、表示装置１では、スイッチングパネル１７が、第１位相差層１０３ａの領域、及び第２位相差層１０３ｂの領域の双方において共通して機能する。このため、直線偏光１６９及び直線偏光１７９の偏光軸同士間の角度を維持させることができる。
例えば、スイッチングパネル１７がＯＦＦ状態のときには、図１９（ａ）及び図１９（ｂ）に示すように、直線偏光１７７及び直線偏光１８１の偏光軸同士間の角度を、直線偏光１６９及び直線偏光１７９の偏光軸同士間の角度と略同等にすることができる。スイッチングパネル１７がＯＮ状態のときにも、同様である。
【０１２９】
本実施形態では、偏光板１９ｃの透過軸の方向１６１ｃ（図１９及び図２１）がＹ'方向に沿っている。直線偏光１６９及び直線偏光１７９のうちで偏光軸の方向が偏光板１９ｃの透過軸の方向１６１ｃに沿っているのは、直線偏光１７９だけである。直線偏光１６９及び直線偏光１７９の偏光軸同士間の角度は、これらの直線偏光１６９及び直線偏光１７９がスイッチングパネル１７を通過した後も維持される。つまり、直線偏光１６９及び直線偏光１７９の偏光軸同士が略直交しているので、偏光板１９ｃを透過できるのは、これらの直線偏光１６９及び直線偏光１７９のうちの一方だけである。
【０１３０】
これにより、第１の範囲１９３及び第２の範囲１９５に対する指向性表示と、第３の範囲２０３及び第４の範囲２０５に対する指向性表示とのいずれの指向性表示においても、直線偏光１６９及び直線偏光１７９のうちの一方だけで画像を形成することができる。この結果、それぞれの指向性表示において、光漏れなどを極めて低く抑えることができるので、表示品位の向上が図られる。
【０１３１】
なお、表示装置１では、第１位相差層１０３ａの遅相軸の方向１７３ａ（図１９及び図２１）が、Ｙ'方向に沿っているが、遅相軸の方向１７３ａはこれに限定されず、Ｘ'方向に沿っていてもよい。
【０１３２】
また、表示装置１では、第１位相差層１０３ａの遅相軸の方向１７３ａがＹ'方向に沿っており、第２位相差層１０３ｂの遅相軸の方向１７３ｂがＸ'方向から時計方向に４５度の傾きを有している。しかしながら、遅相軸の方向１７３ａ及び遅相軸の方向１７３ｂは、これらに限定されない。遅相軸の方向１７３ａ及び遅相軸の方向１７３ｂとしては、これらの方向１７３ａ及び方向１７３ｂがなす角度が４５度であれば、任意の方向が採用され得る。この場合、これらの方向１７３ａ及び方向１７３ｂに応じて、スイッチングパネル１７の遅相軸の方向１７５や、偏光板１９ｃの透過軸の方向１６１ｃが設定される。
【０１３３】
また、表示装置１では、第１位相差層１０３ａと第２位相差層１０３ｂとを有する構成が採用されているが、構成はこれに限定されず、第１位相差層１０３ａが省略された構成も採用され得る。
【０１３４】
また、表示装置１では、第１位相差層１０３ａが第１開口部１０９ａに重なる領域に設けられ、第２位相差層１０３ｂが第２開口部１０９ｂに重なる領域に設けられているが、第１位相差層１０３ａ及び第２位相差層１０３ｂの構成は、これに限定されない。第１位相差層１０３ａ及び第２位相差層１０３ｂの構成としては、第２位相差層１０３ｂを第１開口部１０９ａに重なる領域に設け、第１位相差層１０３ａを第２開口部１０９ｂに重なる領域に設けた構成も採用され得る。
また、この場合、第１位相差層１０３ａを省略した構成も採用され得る。
【０１３５】
また、表示装置１では、位相差層１０３が遮光膜１０５よりも表示面９側に設けられているが、位相差層１０３の位置はこれに限定されず、遮光膜１０５よりも底面２９側に設けられた構成も採用され得る。
【０１３６】
また、表示装置１では、第１位相差層１０３ａが画素群５５（図１１）ごとに設けられた構成が採用されているが、第１位相差層１０３ａの構成はこれに限定されない。第１位相差層１０３ａとしては、図２４に示すように、Ｙ方向に隣り合う第１の配列５３1及び第２の配列５３2の１組ごとに第１位相差層１０３ａが設けられた構成も採用され得る。この構成の場合、各第１位相差層１０３ａは、Ｘ方向において画素行５３の長さにわたって一連している。この構成では、第１位相差層１０３ａのうちで、Ｘ方向に隣り合う画素群５５同士間の部位が遮光膜１０５（図８）に重なる。この構成によれば、スイッチングパネル１７がＯＮ状態のときに、遮光膜１０５の第１開口部１０９ａと第１位相差層１０３ａとの境界部から光が漏れにくくすることができる。これにより、表示品位の一層の向上が図られる。
【０１３７】
また、表示装置１では、複数組の画素群５５が、図５に示すように、Ｙ方向に対してジグザグに並んだ構成が採用されているが、画素群５５の配列はこれに限定されない。複数組の画素群５５の配列は、例えば、図２５に示すように、複数組の画素群５５がＸ方向及びＹ方向に並んだマトリクス状の配列も採用され得る。この構成では、複数の第１の画素７1がＹ方向に並んでいる。また、第２の画素７2がＹ方向に並んでいる。
この構成では、第１位相差層１０３ａは、図２６に示すように、Ｙ方向に並ぶ複数組の画素群５５間にわたって一連した構成が採用され得る。そして、各第１開口部１０９ａは、図２７に示すように、Ｙ方向に並ぶ複数組の画素群５５間にわたって一連した構成が採用され得る。
【０１３８】
他の観点では、複数の遮光膜１０５が、それぞれ島状に設けられているとみなされ得る。各遮光膜１０５は、Ｘ方向において、隣り合う画素群５５同士間に位置しており、Ｘ方向に隣り合う２つの画素７のそれぞれの一部に重なっている。また、各遮光膜１０５は、Ｙ方向において、複数組の画素群５５の２つおきの間隔で設けられており、Ｙ方向に隣り合う２つの画素７のそれぞれの一部に重なっている。
【０１３９】
また、表示装置１では、ＴＮ型の液晶２５を例に説明したが、液晶２５はこれに限定されず、ＦＦＳ（Fringe Field Switching）型、ＩＰＳ（In Plane Switching）型、ＶＡ（Vertical Alignment）型等の種々の型が採用され得る。
また、液晶３７も同様に、ＴＮ型に限定されず、ＦＦＳ型、ＩＰＳ型、ＶＡ型等の種々の型が採用され得る。
【０１４０】
また、表示装置１では、各画素群５５が第１の画素７1と第２の画素７2との２つの画素７を有する構成が採用されているが、表示装置１の構成はこれに限定されない。表示装置１の構成としては、各画素群５５が３個以上の画素７を有する構成も採用され得る。この場合、複数の画素行５３は、各画素群５５を構成する画素７の個数に対応した配列数に区別される。例えば、Ｘ方向に連続して並ぶ第１の画素７1〜第４の画素７4の４つの画素７が１つの画素群５５を構成する場合を例示する。この場合、複数の画素群５５が、図２８に示すように、Ｌ方向にも並んでいる。また、この場合、複数の画素行５３は、画素群５５を構成する画素７の個数（４個）に対応して、第１の配列５３1〜第４の配列５３4の４つに区別される。
【０１４１】
各画素群５５が４つの画素７を有する構成においても、遮光膜１０５に設けられる複数の第１開口部１０９ａは、図２９に示すように、それぞれ、各画素群５５に対応して設けられる。各第１開口部１０９ａは、各画素群５５の一部に重なっている。図２９に示す例では、各第１開口部１０９ａは、第２の画素７2と第３の画素７3との間で、第２の画素７2と第３の画素７3とにまたがる位置に設けられている。
各第２開口部１０９ｂは、Ｌ方向に連続して並ぶ４組の画素群５５ごとに設けられる。各第２開口部１０９ｂは、これらの４組の画素群５５のうちの一部の画素群５５に重なっている。図２９に示す例では、各第２開口部１０９ｂは、第２の配列５３2と第３の配列５３3との間で、第２の配列５３2と第３の配列５３3とにまたがる位置に設けられている。
【０１４２】
上記の構成により、各第１位相差層１０３ａは、図３０に示すように、各画素群５５に対応づけられ得る。また、各第２位相差層１０３ｂは、各４組の画素群５５に対応づけられ得る。
これにより、各画素群５５が４つの画素７を有する構成では、Ｘ方向において、相互に異なる４つの範囲に指向性表示を行うことができる。また、Ｙ方向においても、相互に異なる４つの範囲に指向性表示を行うことができる。なお、Ｘ方向における４つの範囲と、Ｙ方向における４つの範囲とは、相互に異なる範囲である。
各画素群５５を構成する画素７の個数は、２つや４つに限定されず、３つや５つ以上であってもよい。つまり、各画素群５５をｊ個（ｊは２以上の整数）の画素７で構成することができる。これにより、Ｘ方向にｊ個の範囲に指向性表示を行うことができ、Ｙ方向にｊ個の範囲に指向性表示を行うことができる。つまり、相互に異なるｊ＋ｊ個の範囲に指向性表示を行うことができる。
【０１４３】
上述した表示装置１は、例えば、図３１（ａ）に示す電子機器５００の表示部５１０に適用され得る。この電子機器５００は、カーナビゲーションシステム用の表示機器である。電子機器５００では、表示装置１が適用された表示部５１０によって、例えば、運転席側から第１の画像として地図などの画像が視認され、助手席側から第２の画像として映画などの画像が視認され得る。
そして、図３１（ｂ）に示すように、電子機器５００を回動させれば、運転席側から第３の画像として地図などの画像が縦長に視認され、助手席側から第４の画像として映画などの画像が視認され得る。
また、電子機器５００では、表示部５１０として表示装置１が適用されているので、指向性表示における第１の画像及び第２の画像、並びに第３の画像及び第４の画像のそれぞれの表示における表示品位を向上させやすくすることができる。
なお、電子機器５００としては、カーナビゲーションシステム用の表示機器に限られず、携帯電話機、モバイルコンピュータ、デジタルスチルカメラ、デジタルビデオカメラ、車載機器、オーディオ機器等の種々の電子機器が挙げられる。
【図面の簡単な説明】
【０１４４】
【図１】本実施形態における表示装置の主要構成を示す分解斜視図。
【図２】図１中のＡ−Ａ線における断面図。
【図３】本実施形態における複数の画素の一部を示す平面図。
【図４】本実施形態における複数の画素の一部を示す平面図。
【図５】本実施形態における複数組の画素群の配列を説明する平面図。
【図６】本実施形態における複数組の画素群の配列を説明する平面図。
【図７】図４中のＣ−Ｃ線における断面図。
【図８】本実施形態における遮光膜と画素群とを示す平面図。
【図９】図８中のＤ−Ｄ線における断面図。
【図１０】本実施形態における位相差層の一部を示す平面図。
【図１１】本実施形態における複数の第１位相差層の一部を示す平面図。
【図１２】本実施形態における第２位相差層の一部を示す平面図。
【図１３】本実施形態における位相差層及び遮光膜の一部を示す平面図。
【図１４】本実施形態におけるＴＦＴ素子及び画素電極の配置を示す平面図。
【図１５】本実施形態における駆動素子基板の等価回路図。
【図１６】図２中のＦ部の拡大図。
【図１７】本実施形態における表示装置の主要構成を示すブロック図。
【図１８】本実施形態における液晶パネルでの偏光状態を説明する図。
【図１９】本実施形態におけるスイッチングパネルがＯＦＦ状態のときの位相差層における偏光状態を説明する図。
【図２０】本実施形態における液晶パネル及び位相差層を模式的に示す断面図。
【図２１】本実施形態におけるスイッチングパネルがＯＮ状態のときの位相差層における偏光状態を説明する図。
【図２２】本実施形態における液晶パネル及びバリア層を模式的に示す断面図。
【図２３】本実施形態における表示装置での第３の表示方法における偏光状態を説明する図。
【図２４】本実施形態における第１位相差層の他の構成例を示す平面図。
【図２５】本実施形態における複数組の画素群の配列の他の例を示す平面図。
【図２６】本実施形態における第１位相差層の別の構成例を示す平面図。
【図２７】本実施形態における遮光膜の他の構成例を示す平面図。
【図２８】本実施形態における各画素群の他の構成例を説明する平面図。
【図２９】本実施形態における各画素群の他の構成例に適用され得る遮光膜の例を示す平面図。
【図３０】本実施形態における各画素群の他の構成例における第１位相差層及び第２位相差層の配置を示す平面図。
【図３１】本実施形態における表示装置を適用した電子機器の斜視図。
【符号の説明】
【０１４５】
１…表示装置、３…表示パネル、６…制御部、７…画素、７1…第１の画素、７2…第２の画素、７3…第３の画素、７4…第４の画素、８…表示領域、９…表示面、１１…液晶パネル、１３…バリア基板、１７…スイッチングパネル、１９ａ，１９ｂ，１９ｃ…偏光板、２９…底面、３１…バリア層、３３…駆動電極基板、３５…対向基板、３７…液晶、３９…シール材、５１…画素列、５３…画素行、５３1…第１の配列、５３2…第２の配列、５３3…第３の配列、５３4…第４の配列、５５…画素群、１０３…位相差層、１０３ａ…第１位相差層、１０３ｂ…第２位相差層、１０５…遮光膜、１０９…開口部、１０９ａ…第１開口部、１０９ｂ…第２開口部、１２１…第４基板、１２２ａ…第１面、１２２ｂ…第２面、１２３…駆動電極、１２５…配向膜、１３１…第５基板、１３２ａ…外向面、１３２ｂ…対向面、１３３…共通電極、１３５…配向膜、１５１…光源制御部、１５３…スイッチ制御部、１５５…画像制御部、１６９…直線偏光、１７３ａ…方向、１７３ｂ…方向、１７５…方向、１７９…直線偏光、１９３…第１の範囲、１９３ａ…適視範囲、１９５…第２の範囲、１９５ａ…適視範囲、２０３…第３の範囲、２０３ａ…適視範囲、２０５…第４の範囲、２０５ａ…適視範囲、２１１…直線偏光、２１３…直線偏光、２１５…直線偏光、２１７…直線偏光、５００…電子機器、５１０…表示部、Ｍ…マトリクス。
【図１】
2010039028.tif 000003
【図２】
2010039028.tif 000004
【図３】
2010039028.tif 000005
【図４】
2010039028.tif 000006
【図５】
2010039028.tif 000007
【図６】
2010039028.tif 000008
【図７】
2010039028.tif 000009
【図８】
2010039028.tif 000010
【図９】
2010039028.tif 000011
【図１０】
2010039028.tif 000012
【図１１】
2010039028.tif 000013
【図１２】
2010039028.tif 000014
【図１３】
2010039028.tif 000015
【図１４】
2010039028.tif 000016
【図１５】
2010039028.tif 000017
【図１６】
2010039028.tif 000018
【図１７】
2010039028.tif 000019
【図１８】
2010039028.tif 000020
【図１９】
2010039028.tif 000021
【図２０】
2010039028.tif 000022
【図２１】
2010039028.tif 000023
【図２２】
2010039028.tif 000024
【図２３】
2010039028.tif 000025
【図２４】
2010039028.tif 000026
【図２５】
2010039028.tif 000027
【図２６】
2010039028.tif 000028
【図２７】
2010039028.tif 000029
【図２８】
2010039028.tif 000030
【図２９】
2010039028.tif 000031
【図３０】
2010039028.tif 000032
【図３１】
2010039028.tif 000033